(57)【要約】本開示は、差動信号ペア上で情報データ信号および／または制御データ信号を送信する本発明の実施形態を記載している。実施形態の装置２００は、情報データ信号および／または制御データ信号２２０と、正の差動導体２０２と負の差動導体２０４を含む平衡差動信号ペアの導体２１２と、情報信号２２０を平衡差動信号ペアの導体の個々の導体２０２および２０４上のコモンモード電圧に変換する第１の回路のネットワーク２１４と、平衡差動信号ペアの導体２１２の個々の導体２０２および２０４上のコモンモード電圧をデータ信号２２２に戻るように変換する第２の回路のネットワーク２１６とを含み、第１の回路のネットワーク２１４は、平衡差動信号ペアの導体２０２および２０４を介して第２の回路のネットワーク２１６に結合している。
2021520130.tif 000002
【特許請求の範囲】
【請求項１】
データ信号を単一の平衡差動信号ペア上のコモンモード電圧信号として送信する装置であって、
前記データ信号と、
正および負の差動導体を含む単一の平衡差動信号ペアの導体と、
前記データ信号を前記単一の平衡差動信号ペアの導体の個々の導体上のコモンモード電圧信号に変換する第１の回路のネットワークと、正の導体は差動信号の正のレッグであり、負の導体は差動信号の負のレッグであり、
変換されたデータ信号は、前記単一の平衡差動信号ペアの導体を介してコモンモード電圧信号として送信され、前記正の導体は差動信号の正のレッグであり、前記負の導体は差動信号の負のレッグであり、
前記変換されたデータ信号を、前記単一の平衡差動信号ペアの導体の個々の導体上のコモンモード電圧信号からデータ信号に戻るように変換する第２の回路のネットワークと、を備え、
前記第１の回路のネットワークは、前記単一の平衡差動信号ペアの導体を介して前記第２の回路のネットワークに結合している、装置。
【請求項２】
前記第１の回路のネットワークおよび／または前記第２の回路のネットワークが、ＡＣ結合コンデンサと結合された受動抵抗器ネットワークを含む、請求項１に記載の装置。
【請求項３】
前記第１の回路のネットワークおよび／または前記第２の回路のネットワークが、センタータップ付き変圧器を含む、請求項１に記載の装置。
【請求項４】
前記データ信号がＱＡＭ信号である、請求項１に記載の装置。
【請求項５】
前記データ信号がＧＰＩＯ信号である、請求項１に記載の装置。
【請求項６】
前記第１の回路のネットワークおよび／または第２の回路のネットワークが、ＡＣ結合コンデンサと結合された受動抵抗器ネットワークを含む半導体デバイスを含む、請求項１に記載の装置。
【請求項７】
前記第１の回路のネットワークおよび／または前記第２の回路のネットワークが、センタータップ付き変圧器を含む半導体デバイスを含む、請求項１に記載の装置。
【請求項８】
データ信号を単一の平衡差動信号ペア上のコモンモード電圧信号として送信する装置を作製する方法であって、
データ信号を搬送する正および負の差動導体を含む単一の平衡差動信号ペアの導体を提供するステップと、
前記データ信号を前記単一の平衡差動信号ペアの導体の個々の導体上のコモンモード電圧信号に変換する第１の回路のネットワークを提供するステップと、正の導体は差動信号の正のレッグであり、負の導体は差動信号の負のレッグであり、
変換されたデータ信号は、前記単一の平衡差動信号ペアの導体を介してコモンモード電圧信号として送信され、前記正の導体は差動信号の正のレッグであり、前記負の導体は差動信号の負のレッグであり、
前記第１の回路のネットワークに前記単一の平衡差動信号ペアの導体を介して第２の回路のネットワークを結合するステップと、を含み、
前記第２の回路のネットワークは、前記変換されたデータ信号を、前記単一の平衡差動信号ペアの導体の個々の導体上のコモンモード電圧信号からデータ信号に戻るように変換する、方法。
【請求項９】
前記第１の回路のネットワークおよび／または前記第２の回路のネットワークが、ＡＣ結合コンデンサと結合された受動抵抗器ネットワークを含む、請求項８に記載の方法。
【請求項１０】
前記第１の回路のネットワークおよび／または前記第２の回路のネットワークが、センタータップ付き変圧器を含む、請求項８に記載の方法。
【請求項１１】
前記データ信号がＱＡＭ信号である、請求項８に記載の方法。
【請求項１２】
前記データ信号がＧＰＩＯ信号である、請求項８に記載の方法。
【請求項１３】
前記第１の回路のネットワークおよび／または前記第２の回路のネットワークが、ＡＣ結合コンデンサと結合された受動抵抗器ネットワークを含む半導体デバイスを含む、請求項８に記載の方法。
【請求項１４】
前記第１の回路のネットワークおよび／または前記第２の回路のネットワークが、センタータップ付き変圧器を含む半導体デバイスを含む、請求項８に記載の方法。
【請求項１５】
データ信号を単一の差動信号ペア上のコモンモード電圧信号として送信する装置を使用する方法であって、
正および負の差動導体を含む単一の平衡差動信号ペアの導体によって搬送されるデータ信号を提供するステップと、
第１の回路のネットワークを用いて、前記データ信号を前記単一の平衡差動信号導体ペアの個々の導体上のコモンモード電圧信号に変換するステップと、正の導体は差動信号の正のレッグであり、負の導体は第１の差動信号の負のレッグであり、
変換されたデータ信号を、前記単一の平衡差動信号ペアの導体を介してコモンモード電圧信号として送信するステップと、前記正の導体は差動信号の正のレッグであり、前記負の導体は差動信号の負のレッグであり、
第２の回路のネットワークを用いて、前記変換されたデータ信号を、前記単一の平衡差動信号ペアの導体の個々の導体上のコモンモード電圧信号からデータ信号に戻るように変換するステップと、を含み、
前記第１の回路のネットワークは、前記単一の平衡差動信号ペアの導体を介して前記第２の回路のネットワークに結合している、方法。
【請求項１６】
前記第１の回路のネットワークおよび／または前記第２の回路のネットワークが、ＡＣ結合コンデンサと結合された受動抵抗器ネットワークを含む、請求項１５に記載の方法。
【請求項１７】
前記第１の回路のネットワークおよび／または前記第２の回路のネットワークが、センタータップ付き変圧器を含む、請求項１５に記載の方法。
【請求項１８】
前記データ信号がＱＡＭ信号である、請求項１５に記載の方法。
【請求項１９】
前記データ信号がＧＰＩＯ信号である、請求項１５に記載の方法。
【請求項２０】
前記第１の回路のネットワークおよび／または前記第２の回路のネットワークが、ＡＣ結合コンデンサと結合された受動抵抗器ネットワークを含む半導体デバイスを含む、請求項１５に記載の方法。
【請求項２１】
前記第１の回路のネットワークおよび／または前記第２の回路のネットワークが、センタータップ付き変圧器を含む半導体デバイスを含む、請求項１５に記載の方法。
【請求項２２】
プログラム命令を有形に具現化する、コンピューティングデバイスによって読み取り可能な非一時的なプログラムストレージデバイスであって、前記プログラム命令は、データ信号を単一の平衡差動信号ペア上のコモンモード電圧信号として送信する装置を使用する方法を実行するために前記コンピューティングデバイスによって実行可能であり、前記方法は、
正および負の差動導体を含む単一の平衡差動信号ペアの導体によって搬送されるデータ信号を提供するステップと、
第１の回路のネットワークを用いて、前記データ信号を前記単一の平衡差動信号導体ペアの個々の導体上のコモンモード電圧信号に変換するステップと、正の導体は差動信号の正のレッグであり、負の導体は第１の差動信号の負のレッグであり、
変換されたデータ信号を、前記単一の平衡差動信号ペアの導体を介してコモンモード電圧信号として送信するステップと、前記正の導体は差動信号の正のレッグであり、前記負の導体は差動信号の負のレッグであり、
第２の回路のネットワークを用いて、前記変換されたデータ信号を、前記単一の平衡差動信号ペアの導体の個々の導体上のコモンモード電圧信号からデータ信号に戻るように変換するステップと、を含み、
前記第１の回路のネットワークは、前記単一の平衡差動信号ペアの導体を介して前記第２の回路のネットワークに結合している、ストレージデバイス。
【請求項２３】
前記第１の回路のネットワークおよび／または前記第２の回路のネットワークが、ＡＣ結合コンデンサと結合された受動抵抗器ネットワークを含む、請求項２２に記載のストレージデバイス。
【請求項２４】
前記第１の回路のネットワークおよび／または前記第２の回路のネットワークは、センタータップ付き変圧器を含む、請求項２２に記載のストレージデバイス。
【請求項２５】
前記データ信号がＱＡＭ信号である、請求項２２に記載のストレージデバイス。
【請求項２６】
前記データ信号がＧＰＩＯ信号である、請求項２２に記載のストレージデバイス。
【請求項２７】
前記第１の回路のネットワークおよび／または前記第２の回路のネットワークが、ＡＣ結合コンデンサと結合された受動抵抗器ネットワークを含む半導体デバイスを含む、請求項２２に記載のストレージデバイス。
【請求項２８】
前記第１の回路のネットワークおよび／または前記第２の回路のネットワークが、センタータップ付き変圧器を含む半導体デバイスを含む、請求項２２に記載のストレージデバイス。
【請求項２９】
前記データ信号が、ＤＣ信号またはＡＣ信号である、請求項１に記載の装置。
【請求項３０】
前記データ信号が、ＤＣ信号またはＡＣ信号である、請求項８に記載の方法。
【請求項３１】
前記データ信号が、ＤＣ信号またはＡＣ信号である、請求項１５に記載の方法。
【請求項３２】
前記データ信号が、ＤＣ信号またはＡＣ信号である、請求項２２に記載のストレージデバイス。
【発明の詳細な説明】
【技術分野】
【０００１】
本開示は、情報信号の送信に関する。より具体的には、本開示は、差動信号ペア上で情報信号を送信することに関する。
【背景技術】
【０００２】
情報信号および制御信号は、デバイスの状態を制御したり、デバイスの現在の状態のステータスインジケーターを提供するか、または送信元から送信先に情報を送信するために電子システムで一般的に使用される。通常、これらの情報信号および制御信号は、各信号に対して専用の配線を使用し、場合によっては、接地基準として機能する追加の配線を含む。情報信号と通信信号が混在するケーブルでは、各情報信号および各通信信号に個別の導体が必要である。各導体は、ケーブルの追加コストと潜在的な障害点に相当する。
【０００３】
差動ペアは、外部の干渉に対して堅牢な信号を送信するために、通信およびオーディオバスで広く使用されている。これらの差動ペアにより、ペアのブランチ間の差動電圧を使用してこの情報の状態を決定することにより、情報を長距離送信することが可能となる。ペアの各ブランチのコモンモード電圧は無視される。ＲＳ４８５、ＲＳ４２２、ＬＩＮバス、ＣＡＮバス、イーサネット（登録商標）、平衡オーディオは全て、差動ペアを使用して情報を送信する一般的なバスの例である。
【０００４】
図１は、信号を搬送するために使用される複数の導体（即ち、配線）１０２、１０４、１０６を備えた伝送ケーブル１１２を示す従来技術のシステム１００の概略図を示す。導体１０２は、差動信号の正のレッグである。導体１０４は、差動信号の負のレッグである。導体１０６は、情報信号または制御信号である。伝送ケーブル１１２は、デバイス１０８からデバイス１１０へ情報を搬送する。デバイス１０８は、例えば、いくつかのタスクを実行する１つまたは複数のプロセッサ、メモリ、および／またはストレージを備えた制御システムとすることができる。デバイス１１０は、例えば、１つまたは複数のプロセッサ、メモリ、および／またはストレージを含み得る別の制御システム、センサなどとすることができるか、または他のタイプの対象デバイスとすることができる。デバイス１０８は、情報信号１２０を送信機回路１１４に送信する。送信機回路１１４は、情報信号を差動信号に変換し、伝送ケーブル１１２を使用して情報信号を受信機回路１１６に送信する。受信機回路１１６は、差動信号を受信し、差動信号を情報信号１２２に戻るように変換して、デバイス１１０に送信する。
【０００５】
図１の情報信号は「シングルエンド」であり、無線周波数干渉または伝導妨害を介して導入されるノイズに対してより脆弱である。いくつかの実装形態では、他の信号がそれらの電位差を決定するために測定される接地電位基準を搬送する第４の導体もあり得る。
【０００６】
現在の技術は、次の参考文献に記載されている。
ＰＴＬ１：米国特許出願公開第２０１１／０２８６６１２号明細書。ファンタム電源制御スイッチ。この特許出願には、デバイスが、平衡オーディオを搬送するために使用される導体とは別の追加の導体上に外部から印加されるＤＣファンタム電源信号を利用して、平衡オーディオを絶縁しながらスイッチを制御する方法が記載されている。ファンタム電源が印加されると、接地導体上のリレーが起動して、リモートスイッチが起動する。オーディオの絶縁は変圧器を介して行われる。従って、これは、追加の（第４の）導体を使用して別の導体上のスイッチを制御するファンタム電源駆動デバイスに関する方法である。しかしながら、本開示は、追加の導体なしで、平衡信号を使用して、制御信号を送信する方法である。この参考文献は、あらゆる目的のために、参照により本開示に組み込まれる。
【０００７】
ＰＴＬ２：米国特許出願公開第２０１２／００７６３２５号明細書。ファンタム電源回路。この特許文献は、第３の導体上に存在する検出および制限回路を介してコンデンサーマイクにファンタム電源を供給する際の突入電流を制限することに関するものである。本開示とは異なり、この参考文献では、コモンモードシグナリングによる制御データまたは情報データは存在しない。この参考文献は、あらゆる目的のために、参照により本開示に組み込まれる。
【０００８】
ＰＴＬ３：米国特許第５１９９０２６号明細書。トークンリング配線コンセントレータ。この特許文献には、ファンタム電圧信号が存在するかどうかに基づいてワークステーションを検出する方法が記載されている。本開示とは異なり、この参考文献には、コモンモードシグナリングにより情報データを送信または受信する方法が記載されていない。この参考文献は、あらゆる目的のために、参照により本開示に組み込まれる。
【０００９】
ＰＴＬ４：米国特許第７５７３２５４号明細書。コモンモード伝送を使用して通信パッチシステムにおいてパッチコード接続を識別するシステムおよび方法。この特許文献には、ファンタムモード伝送経路を介して制御信号を送信してパッチコード接続を追跡するポート識別回路を含むパッチパネルに関する方法が記載されている。この特許文献に開示された実施形態では、ファンタムモード信号を通信チャネル内の差動ペアの２つに誘導結合するために、センタータップインダクタが使用される。本開示とは対照的に、この参考文献には、コモンモードシグナリングを重畳するために抵抗器ネットワークまたはセンタータップ付き変圧器回路を使用して情報データを送信または受信する手段については記載されていない。この参考文献は、あらゆる目的のために、参照により本開示に組み込まれる。
【００１０】
ＰＴＬ５：米国特許第８６３８６５１号明細書。ファンタムモード制御信号および関連の通信コネクタを使用したインテリジェントなパッチシステムおよび方法。この特許文献は、一般に通信システムに関し、より詳細には、通信システムにおけるケーブル接続を自動的に追跡することに関する。この特許文献には、ファンタムモード制御信号を導電経路の少なくとも第１および第２の差動ペアに容量結合するように構成された制御信号入力回路を含む方法が記載されている。本開示とは異なり、この参考文献には、コモンモードシグナリングを重畳するために抵抗器ネットワークまたはセンタータップ付き変圧器回路を使用して情報データを送信または受信する手段については記載されていない。この参考文献は、あらゆる目的のために、参照により本開示に組み込まれる。
【００１１】
ＰＴＬ６：米国特許出願公開第２０１２／０１８７９６４号明細書。静電容量の変化を感知するプラグ挿入検出回路および関連の方法および通信コネクタ。この特許文献は、リアクティブカップリング要素を使用して通信コネクタのプラグ開口部を横断して電磁結合される制御信号が受信されるように設けられた通信コネクタのプラグ開口部へのプラグ挿入を検出することに関する。本開示とは対照的に、この特許文献は、コモンモードシグナリングにより制御データまたは情報データを送信または受信することに関するものではない。この参考文献は、あらゆる目的のために、参照により本開示に組み込まれる。
【発明の概要】
【発明が解決しようとする課題】
【００１２】
情報信号および／または制御信号は、デバイスの状態を制御したり、デバイスの現在の状態のステータスインジケーターを提供するか、または送信元から送信先に情報を送信するために電子システムで一般的に使用される。通常、これらの情報信号および制御信号は、各信号に対して専用の配線を使用する。情報信号と通信信号が混在するケーブルでは、各情報信号および各通信信号に個別の導体が必要である。各導体は、ケーブルの追加コストと潜在的な障害点に相当する。
【課題を解決するための手段】
【００１３】
本開示は、情報信号を伝送ケーブル上に印加するための独特で明確な方法を提供する。異なる点と新たな点は、追加の導体が情報信号を送信するために使用されないことである。代わりに、開示された実施形態は、差動ペアを介して送信されるデータと干渉しないように、受動抵抗器ネットワークまたはＡＣ結合コンデンサ、センタータップ付き変圧器回路、または他の同様の回路技術を使用して、情報信号を差動ペアの各ブランチ上のコモンモード電圧に変換する。
【発明の効果】
【００１４】
本開示は、上記の参考文献にはない以下の１つまたは複数の特徴を有する。（ａ）本開示は、追加の導体なしで、平衡信号を使用して、制御信号または情報信号を送信し、（ｂ）本開示は、コモンモードシグナリングにより制御データおよび／または情報データを送信または受信する方法を記載し、（ｃ）本開示は、双方向通信と複数の方法を使用してデータを転送することを提供し、かつ／または（ｄ）本開示は、コモンモード信号を重畳するために抵抗器ネットワークまたはセンタータップ付き変圧器回路を使用することを提供する。
【００１５】
本開示の実施形態は、コストの削減、信頼性の向上、コネクタの小型化によるプリント回路基板上のスペースの削減、かつ／またはＤＣロジック、ＰＷＭ、シリアル通信、アナログ変調またはデジタル変調など任意の制御データまたは情報データを送信する可能性をもたせることを含む、従来技術を超える多くの利点を有する。
【００１６】
［発明の要旨］
本開示は、差動信号ペア上で情報データ信号および／または制御データ信号を送信する本発明の実施形態の装置および方法を説明する。この実施形態の装置は、情報データ信号および／または制御データ信号と、正および負の差動導体を含む平衡差動信号ペアの導体と、データ信号を平衡差動信号ペアの導体の個々の導体上のコモンモード電圧に変換する第１の回路のネットワーク（ａ  ｆｉｒｓｔ  ｎｅｔｗｏｒｋ  ｏｆ  ｃｉｒｃｕｉｔｓ）と、平衡差動信号ペアの導体の個々の導体上のコモンモード電圧をデータ信号に戻るように変換する第２の回路のネットワーク（ａ  ｓｅｃｏｎｄ  ｎｅｔｗｏｒｋ  ｏｆ  ｃｉｒｃｕｉｔｓ）とを含み、第１の回路のネットワークは、平衡差動信号ペアの導体を介して第２の回路のネットワークと結合している。
【００１７】
本発明の上記の実施形態は、上記の実施形態との任意のおよび全ての組み合わせで混成され得る１つまたは複数のこれらの追加の実施形態を含むことができる。本発明の一実施形態は、第１の回路のネットワークおよび／または第２の回路のネットワークが、ＡＣ結合コンデンサと結合された受動抵抗器ネットワークを含む場合について説明する。本発明の一実施形態は、第１の回路のネットワークおよび／または第２の回路のネットワークがセンタータップ付き変圧器を含む場合について説明する。本発明の一実施形態は、データ信号がＱＡＭ信号である場合を説明する。本発明の一実施形態は、データ信号がコモンモードＧＰＩＯ信号である場合を説明する。本発明の一実施形態は、第１の回路のネットワークおよび／または第２の回路のネットワークが、ＡＣ結合コンデンサと結合された受動抵抗器ネットワークを含む半導体デバイスを含む場合について説明する。本発明の一実施形態は、第１の回路のネットワークおよび／または第２の回路のネットワークが、センタータップ付き変圧器を含む半導体デバイスを含む場合について説明する。
【００１８】
さらに、本開示は、差動信号ペア上で情報データ信号および／または制御データ信号を送信する本発明の実施形態の装置および方法を説明する。この実施形態の装置は、情報データ信号および／または制御データ信号と、正と負の差動導体を含む平衡差動信号ペアの導体と、データ信号を平衡差動信号ペアの導体の個々の導体上のコモンモード電圧に変換する第１の手段と、平衡差動信号ペアの導体の個々の導体上のコモンモード電圧を情報信号に戻るように変換する第２の手段とを備え、変換する第１の手段は、変換する第２の手段と平衡差動信号ペアの導体を介して結合している。
【００１９】
本発明の上記の実施形態は、上記の実施形態との任意のおよび全ての組み合わせで混成され得る１つまたは複数のこれらの追加の実施形態を含むことができる。本発明の一実施形態は、変換する第１の手段および／または変換する第２の手段が、ＡＣ結合コンデンサと結合された受動抵抗器ネットワークを含む場合について説明する。本発明の一実施形態は、変換する第１の手段および／または変換する第２の手段が、センタータップ付き変圧器を含む場合について説明する。本発明の一実施形態は、データ信号がＱＡＭ信号である場合を説明する。本発明の一実施形態は、データ信号がコモンモードＧＰＩＯ信号である場合を説明する。本発明の一実施形態は、変換する第１の手段および／または変換する第２の手段が、ＡＣ結合コンデンサと結合された受動抵抗器ネットワークを含む半導体デバイスを含む場合について説明する。本発明の一実施形態は、変換する第１の手段および／または変換する第２の手段が、センタータップ付き変圧器を含む半導体デバイスを含む場合について説明する。
【００２０】
本開示は、本開示でさらに説明されるように、本発明の実施形態の装置および方法をさらに説明する。本開示の他のおよびさらなる態様および特徴は、本開示を例示するものであって限定するものではない以下の実施形態の詳細な説明を読むことで明らかになるであろう。
【図面の簡単な説明】
【００２１】
本明細書に添付され、本明細書の一部を形成する図面は、本開示の特定の態様を示すために含まれる。本開示、ならびに本開示とともに提供されるシステムの構成要素および動作のより明確な印象は、同一の参照番号が同一の構成要素を示す、図面に示された例示的な、従って非限定的な実施形態を参照することによって、より容易に明らかになるであろう。図面に示される特徴は、必ずしも縮尺通りに描かれているわけではないことに留意されたい。以下は、添付図面の簡単な説明である。
【図１】情報信号および通信信号用の別個の経路を有する伝送ケーブルを備えた従来技術の伝送システムを示す図である。
【図２】２つのデバイス間で情報を伝送することを示す、本開示の実施形態による伝送システムを示す図である。
【図３】本開示の実施形態による、情報データ信号および／または制御データ信号を用いる伝送ケーブルを開示する図である。
【図４】本開示の実施形態による、情報データ信号および／または制御データ信号を用いるＣＡＮバスツイストペア線を開示する図である。
【図５】本開示の実施形態による、情報データ信号および／または制御データ信号を変換するために使用されるセンタータップ付き変圧器を開示する図である。
【図６】本開示の実施形態による、情報データ信号および／または制御データ信号を変換するために使用されるドライバトランジスタを有する受動ネットワークを開示する図である。
【図７】本開示の実施形態による、アナログＬＥＤ制御信号を駆動するために使用されるドライバトランジスタを有するアナログオーディオネットワークを開示する図である。
【図８】本開示の実施形態による、ＬＥＤ制御信号を駆動するために使用されるデジタルオーディオネットワークを開示する図である。
【発明を実施するための形態】
【００２２】
開示された実施形態は、当業者が本発明を実施できるようにするために、開示の態様を十分に詳細に説明すべきである。他の実施形態を利用してもよく、また本開示から逸脱することなく変更が行われてもよい。以下の詳細な説明は、限定的な意味で解釈されるべきではなく、本発明は、添付される特許請求の範囲によってのみ定義される。
【００２３】
図示され、説明される特定の実施形態は単なる例であり、本開示において別段の指定がない限り、本開示を機能要素に実装または分割する唯一の方法として解釈されるべきではない。しかしながら、当業者であれば、実施形態が１つ以上の特定の詳細なしに、または他の装置、システム、アセンブリ、方法、コンポーネント、材料、部品、および／または同様なものを用いて実施することができることを認識するであろう。他の例では、周知の構造、コンポーネント、システム、材料、または動作は、本発明の実施形態の態様を不明瞭にすることを避けるために、具体的に図示されないか、または詳細に説明されない。本発明は特定の実施形態を使用することによって説明できるが、これは本発明を任意の特定の実施形態に限定されるものではなく、また限定するものでもなく、当業者は、追加の実施形態が容易に理解でき、本発明の一部であることを認識するであろう。
【００２４】
以下の説明では、不必要な詳細で本開示を不明瞭にしないために、要素、回路、および機能は、ブロック図の形式で示される場合がある。また、ブロック定義および様々なブロック間のロジックの分割は、特定の実装の例示である。当業者には、本開示が多数の他の分割ソリューションによって実施され得ることが容易に明らかであろう。当業者は、情報および信号が、様々な技術および技法のいずれかを使用して表され得ることを理解するであろう。例えば、本明細書を通して参照され得るデータ、命令、コマンド、情報、信号、ビット、シンボル、およびチップは、電圧、電流、電磁波、磁場または粒子、光場または粒子、またはそれらの任意の組み合わせによって表され得る。いくつかの図面は、図示および説明を明確にするために、信号を単一の信号として示している場合がある。信号はバスの信号を表すことができ、バスは様々なビット幅を有することができ、本開示は、単一のデータ信号を含む任意の数のデータ信号で実施できることが当業者には理解されよう。
【００２５】
例示的な機能ユニットは、それらの実施の独立性をより具体的に強調するために、本開示において開示される実施形態に記載された論理ブロック、モジュール、および回路を含む。機能ユニットは、汎用プロセッサ、専用プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブルロジックデバイス、ディスクリートゲートまたはトランジスタロジック、ディスクリートハードウェアコンポーネント、または本開示に記載された機能を実行するように設計されたそれらの任意の組み合わせを用いて実施または実行することができる。汎用プロセッサは、マイクロプロセッサ、任意の従来のプロセッサ、コントローラ、マイクロコントローラ、または状態機械であり得る。汎用プロセッサは、汎用プロセッサが任意のタイプのメモリ、ストレージ、および／またはストレージデバイスなどのコンピュータ可読媒体に格納された命令（例えば、ソフトウェアコード）をフェッチして実行するように構成されている間、専用プロセッサと見なすことができる。プロセッサは、ＤＳＰおよびマイクロプロセッサの組み合わせ、複数のマイクロプロセッサ、ＤＳＰコアと関連する１つ以上のマイクロプロセッサ、または他の任意のそのような構成など、コンピューティングデバイスの組み合わせとして実施することもできる。
【００２６】
さらに、上記の例示的な機能ユニットは、フローチャート、フロー図、構造図、またはブロック図として示され得るプロセスに関して説明することができるコンピュータ可読命令などのソフトウェアまたはプログラムを含むことができる。このプロセスは、処理動作を順次プロセスとして記載することができ、多くの動作は、別のシーケンスで、並列に、または実質的に同時に実行することができる。さらに、動作の順序は並べ替えられてもよい。さらに、ソフトウェアには、１つ以上のオブジェクト、エージェント、スレッド、コード行、サブルーチン、個別のソフトウェアアプリケーション、２つ以上のコード行、または１つ以上のソフトウェアアプリケーションまたは１つ以上のプロセッサ上で動作する他の適切なソフトウェア構造が含まれる。ソフトウェアは、いくつかのコードセグメント、モジュール、異なるプログラム間、およびいくつかのメモリデバイスに亘って分散することができる。同様に、処理データは、モジュール内で本開示において識別され図示され得、任意の適切な形式で具体化され得、任意の適切なデータ構造内に編成され得る。処理データは、単一のデータセットとして収集されてもよく、また異なるストレージデバイスを含む異なる場所に分散されてもよい。
【００２７】
本開示に記載される要素は、同じ要素の複数のインスタンスを含み得る。これらの要素は、一般に、数値指定子（例えば、１１０）によって示され、具体的には、数字指示子に続いてアルファベット指示子（例えば、１１０Ａ）または数字指示子に続いて「ダッシュ」（例えば、１１０−１）によって示される。説明を簡単にするために、ほとんどの場合、要素番号指示子は、要素が導入されているか、または最も説明されている図面の番号で始まる。例えば、図１の実行可能な要素が１ｘｘの形式で指定されている場合、１は図１を示し、ｘｘは一意の要素を示す。
【００２８】
「第１」、「第２」などの指定を使用して本開示の要素を参照することは、そのような制限が明示的に記載されていない限り、それらの要素の量または順序を制限しないことを理解されたい。むしろ、これらの指定は、本開示において、２つ以上の要素または要素のインスタンスを区別する便利な方法として使用され得る。第１および第２の要素への参照は、２つの要素のみが使用され得ること、または第１の要素が第２の要素に先行しなければならないことを意味しない。さらに、特に明記しない限り、１組の要素は１つ以上の要素を含み得る。
【００２９】
本明細書全体を通して「一実施形態」、「具体例」または同様の語句への参照は、実施形態で説明される特定の特徴、構造、または特性が本発明の少なくとも１つの実施形態に含まれることを意味する。本明細書全体にわたる「一実施形態」、「具体例」および類似の語句の出現は、必ずしもそうである必要はないが、すべて同じ実施形態を指す場合がある。
【００３０】
以下の詳細な説明では、本開示の一部を形成し、本開示が実施され得る特定の実施形態が例として示されている図を参照する。これらの実施形態は、当業者が本開示を実施できるように十分詳細に説明されている。しかしながら、他の実施形態が利用されてもよく、本開示の真の範囲から逸脱することなく、構造的、論理的、および電気的な変更が行われてもよい。本開示の図は、特定のデバイスまたはシステムの実際の図であることを意味するものではなく、本開示の実施形態を説明するために使用される単に理想的な表現である。また、提示されたイラストは必ずしも縮尺通りに描かれているわけではない。また、図面間で共通の要素は、同じ数値指定を保持するか、または同様の数値指定を有してもよい。
【００３１】
図面／図に示されている１つまたは複数の要素は、特定の用途に応じて有用であるように、より分離または統合された方法で実施することができ、また、特定の場合には、削除または動作不能にすることもできることも理解されよう。さらに、図面／図内の信号矢印は、特に明記されていない限り、限定としてではなく、例示としてのみ見なされるべきである。本開示の範囲は、以下の特許請求の範囲およびそれらの法的均等物によって決定されるべきである。
【００３２】
本明細書で使用される場合、「備える」、「備えている」、「含む」、「含んでいる」、「有する」、「有している」、またはそれらの任意の他の変形は、非排他的な包含を含むことが意図される。例えば、要素のリストを含むプロセス、製品、物品、または装置は、必ずしもそれらの要素のみに限定されず、そのようなプロセス、製品、物品、または装置に明示的にリストされていないか、または固有でない他の要素を含み得る。さらに、本明細書で使用される「または」という用語は、特に指示がない限り、一般に「および／または」を意味することを意図している。例えば、条件ＡまたはＢは、次のいずれかによって満たされる。Ａは真（または存在する）、Ｂは偽（または存在しない）、Ａは偽（または存在しない）、Ｂは真（または存在する）、ＡとＢの両方が真（または存在する）である。本明細書で使用される場合、「ａ」または「ａｎ」（および先行基準が「ａ」または「ａｎ」の場合は「ｔｈｅ」）で始まる用語は、特に明記されていない（即ち、「ａ」または「ａｎ」という参照は、単数形のみまたは複数形のみを明確に示していない）限り、そのような用語の単数および複数の両方を含む。また、本明細書の説明で使用されているように、文脈がそうでないことを明確に指示していない限り、「内（ｉｎ）」の意味は「内」および「上」を含む。
【００３３】
特許庁および本開示に基づいて発行された特許の読者が添付の特許請求の範囲を解釈するのを支援するために、出願人は、特定の請求項において「手段」または「ステップ」という用語が明示的に使用されていない限り、添付の特許請求の範囲または請求項の要素のいずれも３５Ｕ．Ｓ．Ｃ．１１２（ｆ）を発動することを意図していないことに留意されたい。
【００３４】
図２は、２つのデバイス間で情報データ信号および／または制御データ信号を伝送することを示す、本開示の実施形態による伝送システム２００を示す。伝送システム２００は、デバイス２０８および２１０の間で情報データ信号および／または制御データ信号を搬送するために使用される複数の導体（即ち、配線）を有する伝送ケーブル２１２を示す。デバイス２０８は、例えば、いくつかのタスクを実行する１つまたは複数のプロセッサ、メモリ、および／またはストレージを備えた制御システムとすることができる。デバイス２１０は、例えば、１つまたは複数のプロセッサ、メモリ、および／またはストレージを含み得る別の制御システム、センサなどとすることができるか、または他のタイプの対象デバイスとすることができる。デバイス２０８は、情報データ信号および／または制御データ信号２２０を送信機回路２１４に送信する。送信機回路２１４は、デバイス２０８からのデータ信号２２０を差動信号に変換または転換し、データ信号を受信機回路２１６に伝送ケーブル２１２を使用して送信する。導体２０２は、差動信号の正のレッグである。導体２０４は、差動信号の負のレッグである。データ信号は、本開示の他の箇所で記載されるように、さらなる実施形態で記載される方法で導体を通じて伝送される。受信機回路２１６は、差動信号を受信し、差動信号を情報データ信号および／または制御データ信号２２２に戻るように変換または転換して、デバイス２１０に送信する。
【００３５】
図３は、本開示の実施形態による、情報データ信号および／または制御データ信号を用いる伝送ケーブル３２０を有するシステム３００を開示する。この実施形態では、ＡＣ結合コンデンサ３０８、３１６と結合された受動抵抗器ネットワーク３１０、３１２、３１４が、情報信号３０４を、送信元における平衡差動ペアの個々のブランチ上のコモンモード電圧に変換するために使用される。第２の受動抵抗器ネットワーク３５０、３５４、３５２およびＡＣ結合コンデンサ３４８、３５６は、差動ペア３４２、３４６のコモンモード電圧を情報信号３４４に戻るように変換するために使用される。これにより、伝送ケーブル３２０に別個の導体を設ける必要なしに、データ信号が差動ペア３２２、３２４上を伝搬することが可能になる。伝送システム３００は、第１のデバイス（図示せず）と第２のデバイス（図示せず）との間で情報データ信号および／または制御データ信号を搬送するために使用される複数の導体３２２、３２４を有する伝送ケーブル３２０を示す。第１のデバイスは、例えば、いくつかのタスクを実行する１つまたは複数のプロセッサ、メモリ、および／またはストレージを備えた制御システムとすることができる。第２のデバイスは、例えば、１つまたは複数のプロセッサ、メモリ、および／またはストレージを含み得る別の制御システム、センサなどとすることができるか、または他のタイプの対象デバイスとすることができる。第１のデバイスは、データ信号を第１のインタフェース３１８を介して送信機回路３３０に送信する。送信機回路３３０は、第１のデバイスからのデータ信号３０４を差動信号に変換または転換して、情報信号および／または制御信号を伝送ケーブル３２０を使用して受信機回路３３２に送信する。導体３２２は、差動信号の正のレッグである。導体３２４は、差動信号の負のレッグである。受動抵抗器ネットワーク３１０、３１２、３１４およびＡＣ結合コンデンサ３０８、３１６は、情報信号３０４を平衡差動ペアの個々のブランチ上のコモンモード電圧に変換するために使用される。受信機回路３３２は、差動信号を受信し、差動信号をデータ信号３４４に戻るように変換または転換して、第２のデバイス（図示せず）に送信する。受信機回路３３２は、第２の受動抵抗器ネットワーク３５０、３５４、３５２およびＡＣ結合コンデンサ３４８、３５６を使用して、差動ペア３４２、３４６のコモンモード電圧をデータ信号３４４に戻るように変換する。データ信号３４４は、受信機回路３３２の第２のインタフェース３５８を通過して、第２のデバイス（図示せず）に到達する。本開示の一実施形態は、ＰＯＳポジティブ３２２およびＮＥＧネガティブ３２４の差動ラインがオーディオ信号を搬送することができるオーディオ用途において使用することができる。例えば、画像またはビデオがデータ信号導体に導入されたノイズに比較的鈍感な用途で使用されると仮定すると、データ信号は、エンコードされた静止画像またはビデオを搬送する直交振幅変調（ＱＡＭ：Ｑｕａｄｒａｔｕｒｅ  Ａｍｐｌｉｔｕｄｅ  Ｍｏｄｕｌａｔｅｄ）信号とすることができる。代替的に、データ信号は、事前設定された、または計算された基準点、またはセンサに対するマイクの位��のエンコードされた表現を搬送することができる。データ信号は、例えば、遠隔地での会議においてユーザのより正確なアバターを表示するのを支援するために、ユーザの音声をキャプチャして導体の差動ペア上でそのユーザの音声を送信するマイクに対するユーザの顔の部分の位置の音響画像（ｓｏｎｉｃ  ｉｍａｇｅ）を表す超音波ソナーデータを例えば搬送することができる。
【００３６】
図４は、本開示の実施形態４００による、情報データ信号および／または制御データ信号を伝達するＣＡＮバスツイストペア線４２０を開示する。この実施形態は、差動信号４２０が、例えば、ＣＡＮバスのような周知の業界標準を使用してエンコードされたデータを搬送することができる自動車用途であり得る。情報データ信号および／または制御データ信号は、監視される自動車のタイヤ空気圧のような自動車データを表すことができる。これは、通常、緩慢に変化するパラメータであるため、データ信号は、導体上に導入されたノイズを除去するために、受信側でフィルタリングされる可能性がある。差動信号は、より堅牢でエラーのない環境で送信される必要があるため、アクセルペダルの位置を搬送することができる。この実施形態４００では、ＡＣ結合コンデンサ４１０、４１４と結合された受動抵抗器ネットワーク４１６、４１２、４１８が、自動車データ信号４０６を、送信元における平衡差動ペア４０４、４０８の個々のブランチ上のコモンモード電圧に変換するために使用される。第２の受動抵抗器ネットワーク４４６、４４２、４４８およびＡＣ結合コンデンサ４４０、４４４は、差動ペア４２２、４２４のコモンモード電圧をデータ信号４３６に戻るように変換するために使用される。これにより、伝送ケーブル４２０に別個の導体を設ける必要なしに、データ信号が差動ペア４２２、４２４上を伝搬することが可能になる。システム４００は、タイヤ空気圧センサ（図示せず）などの第１のデバイスと警告灯などの第２のデバイスとの間でデータ信号を搬送するために使用される複数の導体４２２、４２４を有する伝送ケーブル４２０を示す。第１のデバイスは、例えば、いくつかのタスクを実行する１つまたは複数のプロセッサ、メモリ、および／またはストレージを備えた自動車制御システムまたはタイヤ空気圧センサとすることができる。第２のデバイスは、例えば、１つまたは複数のプロセッサ、メモリ、および／またはストレージ、を含み得る別の制御システム、センサ、または警告灯などとすることができるか、または警告灯などの他のタイプの対象デバイスとすることができる。第１のデバイスは、データ信号を第１のインタフェース（図示せず）を介して送信機回路４０２に送信する。送信機回路４０２は、第１のデバイスからのデータ信号４０６を差動信号に変換または転換して、データ信号を伝送ケーブル４２０を使用して受信機回路４３２に送信する。導体４２２は、差動信号の正のレッグである。導体４２４は、差動信号の負のレッグである。受動抵抗器ネットワーク４１６、４１８、４１２およびＡＣ結合コンデンサ４１０、４１４は、情報信号４０６を平衡差動ペアの個々のブランチ上のコモンモード電圧に変換するために使用される。受信機回路４３２は、差動信号４３４、４３８を受信し、差動信号４３４、４３８をデータ信号４３６に戻るように変換または転換して、光源４５６、トランジスタ４５８、抵抗器４５４、電圧４５０、および接地４５２を含む警告灯システムに送信する。受信機回路４３２は、第２の受動抵抗器ネットワーク４４６、４４２、４４８およびＡＣ結合コンデンサ４４０、４４４を使用して、差動ペア４２２、４２４のコモンモード電圧をデータ信号４３６に戻るように変換する。
【００３７】
図５は、センタータップ付き変圧器５１０、５３０を使用して、情報データ信号および／または制御データ信号５０６、５２６を、送信元送信機回路５０２および送信先受信機回路５２２における平衡差動ペア５０４、５０８および５２５、５２８の個々のブランチ上のコモンモード電圧に変換し、かつコモンモード電圧から情報データ信号および／または制御データ信号５０６、５２６に変換する本開示の実施形態５００を開示する。この実施形態は、多くの電気機械周波数干渉（ＥＦＩ：Ｅｌｅｃｔｒｏｍｅｃｈａｎｉｃａｌ  Ｆｒｅｑｕｅｎｃｙ  Ｉｎｔｅｒｆｅｒｅｎｃｅ）を伴うノイズの多い環境またはシステムにおいて有用である。この実施形態５００では、センタータップ付き変圧器５１０を使用して、情報データ信号および／または制御データ信号５０６を、送信元における平衡差動ペア５０４、５０８の個々のブランチ上のコモンモード電圧に変換する。第２のセンタータップ付き変圧器５３０は、差動ペア５２４、５２８のコモンモード電圧をデータ信号５２６に戻るように変換するために使用される。これにより、伝送ケーブル５１２に別個の導体を設ける必要なしに、データ信号が差動ペア５１４、５１６上を伝搬することが可能になる。伝送システム５００は、第１のデバイス（図示せず）と第２のデバイス（図示せず）との間でデータ信号を搬送するために使用される複数の導体５１４、５１６を有する伝送ケーブル５１２を示す。第１のデバイスは、例えば、いくつかのタスクを実行する１つまたは複数のプロセッサ、メモリ、および／またはストレージを備えた制御システムとすることができる。第２のデバイスは、例えば、１つまたは複数のプロセッサ、メモリ、および／またはストレージを含み得る別の制御システム、センサなどとすることができるか、または他のタイプの対象デバイスとすることができる。第１のデバイスは、データ信号を送信機回路５０２に送信する。送信機回路５０２は、第１のデバイスからのデータ信号５０６を差動信号に変換または転換し、データ信号を伝送ケーブル５１２を使用して受信機回路５２２に送信する。導体５１４は、差動信号の正のレッグである。導体５１６は、差動信号の負のレッグである。センタータップ付き変圧器５３０は、データ信号５２６を平衡差動ペアの個々のブランチ上のコモンモード電圧に変換するために使用される。受信機回路５２２は、差動信号を受信し、差動信号をデータ信号５２６に戻るように変換または転換して、第２のデバイスに送信する。
【００３８】
図６は、本開示の実施形態による、情報データ信号および／または制御データ信号を伝達するために使用されるドライバトランジスタを有する受動ネットワークを開示する。本開示のこの実施形態６００はまた、ケーブル６２０上の電圧降下によって情報データ信号および／または制御データ信号６１０、６５０が受信端で回復されることが可能となることを保証するために、図示されているようなドライバトランジスタ６２０を組み込むことができる。ＶＣＣ１  ６１４は、ケーブル両端の電圧降下がトランジスタ６２０のＶｂｅが導通するのに必要な閾値を下回らないことを保証するために選択された電圧である。予想される電圧降下は、選択された導体と予想される負荷電流とに基づいて簡単に計算することができる。ＶＣＣ２  ６５４は、受信機回路６４２のシステム電圧である。システム６００は、送信機回路６０２に結合する第１のデバイス（図示せず）と受信機回路６４２に結合する第２のデバイス（図示せず）との間でデータ信号を搬送するために使用される複数の導体６３４、６３６を有する伝送ケーブル６３２を示す。第１のデバイスは、例えば、いくつかのタスクを実行する１つまたは複数のプロセッサ、メモリ、および／またはストレージを備えた制御システムとすることができる。第２のデバイスは、例えば、１つまたは複数のプロセッサ、メモリ、および／またはストレージを含み得る別の制御システム、センサなどとすることができるか、または他のタイプの対象デバイスとすることができる。第１のデバイスは、データ信号を第１のインタフェースを介して送信機回路６０２に送信する。送信機回路６０２は、第１のデバイスからのデータ信号６１０を差動信号に変換または転換し、データ信号を伝送ケーブル６３２を使用して受信機回路６４２に送信する。導体６３４は、差動信号の正のレッグである。導体６３６は、差動信号の負のレッグである。この実施形態６００では、送信元送信機回路６０２は、データ信号６０６を送信元における平衡差動ペア６０４、６０８の個々のブランチ上のコモンモード電圧に変換するために使用される、ＡＣ結合コンデンサ６２２、６２６と結合された受動抵抗器ネットワーク６２４、６２８、６３０を有する。この実施形態は、受信機における適切な電圧降下を提供するためのドライバトランジスタ回路６２０を特徴とする。第１のデバイスから受信されたデータ信号６１０は、ＶＣＣ１  ６１４、抵抗器６１２、および接地６１６によりトランジスタ６２０を通過する。受信機回路６４２は、差動ペア６４４、６４８のコモンモード電圧をデータ信号６４６に戻るように変換するために使用される第２の受動抵抗器ネットワーク６６４、６６８、６７０およびＡＣ結合コンデンサ６６２、６６６を有する。これにより、伝送ケーブル６３２に別個の導体を設ける必要なしに、データ信号が差動ペア６３４、６３６上を伝搬することが可能になる。データ信号６４６は、ＶＣＣ２  ６５４、抵抗器６５２、および接地６５６によりトランジスタ６６０を通過して、第２のデバイスに伝達されるデータ信号６５０を生成する。
【００３９】
図７は、本開示の実施形態による、アナログＬＥＤ制御信号を駆動するために使用されるドライバトランジスタを有するアナログオーディオネットワーク７００を開示する。本開示の別の実施形態はまた、図示されるように、コモンモードＧＰＩＯ信号を差動アナログオーディオを介して送信して、リモートＬＥＤ７４８を駆動することができる。ドライバトランジスタ７１６は、ケーブル上の電圧降下によって、ＬＥＤ信号７５６が受信機回路７５２で回復されることが可能となることを保証する。ＶＣＣ１  ７１２は、ケーブル両端の電圧降下がトランジスタ７１６のＶｂｅが導通して信号を通過させるのに必要な閾値を下回らないことを保証するために選択された電圧である。予想される電圧降下は、選択された導体と予想される負荷電流とに基づいて簡単に計算することができる。ＶＣＣ２  ７４０は、受信機回路７５２のシステム電圧である。システム７００は、送信機回路７０２に結合する第１のデバイス（図示せず）と、受信機回路７５２に含まれているＬＥＤ光回路などの第２のデバイスとの間で情報データ信号および／または制御データ信号を搬送するために使用される複数の導体７３２、７３４を有する伝送ケーブル７３０を示す。第１のデバイスは、例えば、いくつかのタスクを実行する１つまたは複数のプロセッサ、メモリ、および／またはストレージを備えた制御システムとすることができる。第２のデバイスは、例えば、任意のタイプの光ディスプレイとすることができる。第１のデバイスは、第１のインタフェースを介してデータ信号を送信機回路７０２に送信する。送信機回路７０２は、第１のデバイスからのデータ信号７１０を差動信号に変換または転換し、データ信号を伝送ケーブル７３０を使用して受信機回路７５２に送信する。導体７３２は、差動信号の正のレッグである。導体７３４は、差動信号の負のレッグである。この実施形態７００では、送信元送信機回路７０２は、データ信号７０６を送信元における平衡差動ペア７０４、７０８の個々のブランチ上のコモンモード電圧に変換するために使用される、ＡＣ結合コンデンサ７２０、７２４と結合された受動抵抗器ネットワーク７２２、７２６、７２８を有する。この実施形態は、受信機回路７５２における適切な電圧降下を提供するためのドライバトランジスタ回路７１６を特徴とする。第１のデバイスから受信された情報信号７１０は、ＶＣＣ１  ７１２、抵抗器７１４、および接地７１８によりトランジスタ７１６を通過する。受信機回路７５２は、差動ペア７５４、７５８のコモンモード電圧をデータ信号７５６に戻るように変換するために使用される第２の受動抵抗器ネットワーク７６２、７６８、７６６およびＡＣ結合コンデンサ７６０、７６４を有する。これにより、伝送ケーブル７３０に別個の導体を設ける必要なしに、データ信号が差動ペア７５４、７５８上を伝搬することが可能になる。情報信号７５６は、ＬＥＤに伝達される適切な情報を表示するために、ＶＣＣ２  ７４０、抵抗器７４６、および接地７４４によりトランジスタ７５０を介してＬＥＤ７４８を制御する。
【００４０】
図８は、本開示の実施形態による、ＬＥＤ制御信号を駆動するために使用されるデジタルオーディオネットワーク８００を開示する。本開示の別の実施形態は、図示されているように、遠隔ＬＥＤ８４０を駆動するために平衡デジタルオーディオ用途において使用することができる。システム８００は、送信機回路８０２に結合する第１のデバイス（図示せず）と、受信機回路８０４に含まれるＬＥＤ光回路などの第２のデバイスとの間でデジタルオーディオ信号を搬送するために使用される複数の導体８２２、８２４を有する伝送ケーブル８２６を示す。第１のデバイスは、例えば、デジタルオーディオの処理を含むいくつかのタスクを実行する１つまたは複数のプロセッサ、メモリ、および／またはストレージを備えた制御システムとすることができる。第２のデバイスは、例えば、任意のタイプの光ディスプレイとすることができる。第１のデバイスは、信号を第１のインタフェース（図示せず）を介して送信機回路８０２に送信する。送信機回路８０２は、第１のデバイスからのデータ信号８０８を差動信号に変換または転換し、データ信号を伝送ケーブル８２６を使用して受信機回路８０４に送信する。導体８２２は、差動信号の正のレッグである。導体８２４は、差動信号の負のレッグである。この実施形態８００では、送信元送信機回路８０２は、データ信号８０８を送信元における平衡差動ペア８０６、８１０の個々のブランチ上のコモンモード電圧に変換するために使用される、ＡＣ結合コンデンサ８１２、８１６と結合された受動抵抗器ネットワーク８１４、８１８、８２０を有する。受信機回路８０４は、差動ペア８２８、８３２のコモンモード電圧をデータ信号８３０に戻るように変換するために使用される第２の受動抵抗器ネットワーク８４６、８５０、８５２およびＡＣ結合コンデンサ８４４、８４８を有する。これにより、伝送ケーブル８２６に別個の導体を設ける必要なしに、データ信号が差動ペア８２２、８２４上を伝搬することが可能になる。データ信号８３０は、ＬＥＤに伝達される適切な情報を表示するために、ＶＣＣ２  ８３４、抵抗器８３６、および接地８４２によりトランジスタ８４０を介してＬＥＤ８３８を制御する。
【００４１】
本開示は、特定の例示および説明された実施形態に関して本開示で説明されたが、当業者は、本開示がそのように限定されないことを認識および理解するであろう。むしろ、図示および記載された実施形態に対する多くの追加、削除、および修正は、本発明の真の範囲、その要旨、または特許請求の範囲に記載されているその本質的な特徴をそれらの法的均等物とともに逸脱することなく行われ得る。加えて、一実施形態からの特徴は、発明者によって企図される本発明の範囲内に依然として包含されながら、別の実施形態の特徴と組み合わせることができる。記載された実施形態は、例示的なものであり、限定的なものではないと考えられるべきである。特許請求の範囲の均等性の意味および範囲内に含まれる全ての変更は、それらの範囲内に含まれるべきである。本発明の開示は単なる例示であり、本発明の真の範囲は、添付の特許請求の範囲によって決定される。
【図１】
2021520130.tif 000003
【図２】
2021520130.tif 000004
【図３】
2021520130.tif 000005
【図４】
2021520130.tif 000006
【図５】
2021520130.tif 000007
【図６】
2021520130.tif 000008
【図７】
2021520130.tif 000009
【図８】
2021520130.tif 000010
【国際調査報告】
2021520130.tif 000011